(57)【要約】      （修正有）【課題】衛生または防護目的を果たしつつも、使用者が感じる不快な臭いや湿り気を軽減し、更に、通気性を持ちながら、細菌やウイルスの増殖を抑えられる衛生マスクを提供する。【解決手段】不織布よりなる衛生マスクであって、第一の不織布１と第二の不織布２を有し、第一の不織布１は重ねられて固定された第二の不織布２を備え、第一の不織布１に第二の不織布２が固定された第一の使用状態から、第一の不織布１から第二の不織布２をめくって取り除いた第二の使用状態にすることができる。【選択図】図１
0003215397.tif 000002
【実用新案登録請求の範囲】
【請求項１】
不織布よりなる衛生マスクであって、第一の不織布と第二の不織布を有し、第一の不織布と第二の不織布を固定し、第二の不織布は、めくることも可能とした衛生マスク。
【請求項２】
前項記載の第一の不織布は、三層の不織布により形成される衛生マスク。
【請求項３】
前項記載の、第二の不織布それぞれの固定部の、引裂き強度の範囲は、ＪＩＳ６８５４に準じて４０ｇ以上６０ｇ以下とする請求項１または２記載の衛生マスク。
【請求項４】
前項記載の衛生マスクの、不織布の重量指定は、第一の不織布の一層目を１０ｇ／ｍ２以上３０ｇ／ｍ２以下、第一の不織布の二層目を２０ｇ／ｍ２以上３５ｇ／ｍ２以下、第一の不織布の三層目を２０ｇ／ｍ２以上３５ｇ／ｍ２以下、また、第二の不織布は２０ｇ／ｍ２以上３５ｇ／ｍ２以下とする衛生マスク。
【考案の詳細な説明】
【技術分野】
【０００１】      本考案は衛生マスクに関するものである。
【背景技術】
【０００２】      衛生マスクとは、人体のうち顔の一部に被るもの、または覆うものを指す。鼻や口部分を衛生または防護目的で覆うもので、一般に衛生マスクと呼ばれるものの素材は、ガーゼまたは不織布が多い。日本ではエチケットではなく自己の感染予防のためにマスクを使う習慣がある。呼吸の際に外部からの埃や塵、花粉などを防ぐ目的の為に用い、風邪やインフルエンザの感染者のくしゃみや咳などで、ウイルスを含んだ分泌物を外部に広く撒き散らしにくくする効果があり、風邪やインフルエンザに感染している患者は他人に伝染させない為、感染拡大を防ぐ為に衛生マスクを着用する事が求められている。
【考案の概要】
【考案が解決しようとする課題】
【０００３】      長時間に渡り衛生マスクを使用することで、自らの唾液や口臭により不快な臭いや湿り気を感じることが報告されている。また、くしゃみや咳には様々な細菌やウイルスが含まれており、それらは湿り気を帯びた温かい環境において増殖する可能性がある。そこで、衛生マスクでは、衛生または防護目的を果たしつつも、使用者が感じる不快な臭いや湿り気を軽減し、通気性を持ちながら衛生マスクを使用できるようにならねばならない。また同時に、細菌やウイルスの増殖を抑えることが求められている。
【課題を解決するための手段】
【０００４】      不織布よりなる衛生マスクであって、第一の不織布と第二の不織布を有し、第一の不織布と第二の不織布を熱溶着で固定し、第二の不織布はめくることも可能とした衛生マスク。第二の不織布は第一の不織布に熱溶着で四ヶ所を固定したものである。
【考案の効果】
【０００５】      長時間の使用による、不快な臭いや湿り気を含んだ第二の不織布を取り除くことで、衛生または防護目的を果たしつつも不快な臭いや湿り気を軽減し、細菌やウイルスの増殖を抑えることができるようになる。その為、使用者は取り替える手間や予備の衛生マスクを持参することなく快適な着用ができるようになる。また、一枚で二回使用できることにより、使用者が負担するコストを軽減し、使用者としての経済的メリットも実現できるようになる。
【図面の簡単な説明】
【０００６】
【図１】本考案の衛生マスクの一実施例を示す説明図である。
【図２】本考案の衛生マスクの第一の不織布の部分断面図である。
【考案を実施するための形態】
【０００７】      以下、図１と図２を参照して本考案の詳細について説明する。
長時間に渡り衛生マスクを使用することで、自らの唾液や口臭により不快な臭いや湿り気を感じることが報告されている。また、くしゃみや咳には様々な細菌やウイルスが含まれており、それらは湿り気を帯びた温かい環境において増殖する可能性がある。そこで、衛生マスクでは、衛生または防護目的を果たしつつも、使用者が感じる不快な臭いや湿り気を軽減し、通気性を持ちながら衛生マスクを使用できるようにならねばならない。また同時に、細菌やウイルスの増殖を抑えることが求められている。
図１は不織布よりなる衛生マスクであって、第一の不織布と第二の不織布を有し、第一の不織布と第二の不織布を熱溶着で固定し、第二の不織布はめくることが可能となる。これらの固定部は、熱溶着以外でも固定可能である。熱溶着で固定される四ヶ所それぞれの引裂き強度の範囲は、ＪＩＳ６８５４に準じて４０ｇ以上６０ｇ以下を数値限定とする。尚、ＪＩＳ６８５４は、一方がたわみ性、他方が剛性の２枚の被着材から成る接着組立物の剥離抵抗を、規定条件下で測定するための１８０度剥離試験方法について規定するものとする。図２における衛生マスクの不織布の重量指定は、第一の不織布の一層目を１０ｇ／ｍ２以上３０ｇ／ｍ２以下、第一の不織布の二層目を２０ｇ／ｍ２以上３５ｇ／ｍ２以下、第一の不織布の三層目を２０ｇ／ｍ２以上３５ｇ／ｍ２以下、また、第二の不織布は２０ｇ／ｍ２以上３５ｇ／ｍ２以下とする。
図１の矢印のように、長時間の使用による、不快な臭いや湿り気を含んだ第二の不織布を取り除くことで、衛生または防護目的を果たしつつも不快な臭いや湿り気を軽減し、細菌やウイルスの増殖を抑えることができるようになる。その為、使用者は取り替える手間や予備の衛生マスクを持参することなく快適な着用ができるようになる。また、一枚で二回使用できることにより、使用者が負担するコストを軽減し、使用者としての経済的メリットも実現できるようになる。
【符号の説明】
【０００８】１  第一の不織布
２  第二の不織布
３  熱溶着部分
４  熱溶着部分
５  熱溶着部分
６  熱溶着部分
７  第一の不織布三層目
８  第一の不織布二層目
９  第一の不織布一層目
【図１】
0003215397.tif 000003
【図２】
0003215397.tif 000004
【手続補正書】
【提出日】平成29年11月16日(2017.11.16)
【手続補正１】
【補正対象書類名】実用新案登録請求の範囲
【補正対象項目名】全文
【補正方法】変更
【補正の内容】
【実用新案登録請求の範囲】
【請求項１】
不織布よりなる衛生マスクであって、第一の不織布と第二の不織布を有し、第一の不織布は重ねられて固定された第二の不織布を備え、第一の不織布に第二の不織布が固定された第一の使用状態から、第一の不織布から第二の不織布をめくって取り除いた第二の使用状態にすることができる衛生マスク。
【請求項２】
第一の不織布は、三層の不織布により形成される請求項１記載の衛生マスク。
【請求項３】
第二の不織布は、第一の不織布に対して引裂き強度の範囲が、ＪＩＳ６８５４に準じて４０ｇ以上６０ｇ以下とする固定部で固定されていることを特徴とする請求項１または２記載の衛生マスク。
【請求項４】
第一の不織布の一層目を１０ｇ／ｍ２以上３０ｇ／ｍ２以下、第一の不織布の二層目を２０ｇ／ｍ２以上３５ｇ／ｍ２以下、第一の不織布の三層目を２０ｇ／ｍ２以上３５ｇ／ｍ２以下、また、第二の不織布は２０ｇ／ｍ２以上３５ｇ／ｍ２以下とする請求項１または２または３記載の衛生マスク。